(57)【要約】【課題】直感的なユーザインタフェースによりストレスなく選択する操作を行うことができる端末装置を提供する。【解決手段】３次元実空間における自装置の傾きまたは加速度を検出し、自装置の傾きまたは加速度が閾値を越えた場合に、その傾きまたは加速度に基づいて、複数の異なる撮影機構のうちの、いずれかの撮影機構を選択し、撮影指示を受けた場合に、選択した撮影機構を用いて撮影処理を行う。【選択図】図１
2012120016.tif 000002
【特許請求の範囲】
【請求項１】
複数の異なる撮影機構を備えた端末装置であって、
３次元実空間における自装置の傾きまたは加速度を検出する状態検出部と、
自装置の前記傾きまたは前記加速度が閾値を越えた場合に、その傾きまたは加速度に基づいて、前記複数の異なる撮影機構のうちの、いずれかの撮影機構を選択する撮影機構選択部と、
前記撮影指示を受けた場合に、前記選択された撮影機構を用いて撮影処理を行う撮影処理部と、
を備えることを特徴とする端末装置。
【請求項２】
前記選択された撮影機構による撮影開始指定を受け付ける撮影開始指定受付部と、を備え、
前記撮影機構選択部は、前記撮影開始指定を受け付ける前においては、自装置の前記傾きまたは加速度に基づいて、前記複数の異なる撮影機構のうちの、いずれかの撮影機構を選択する処理を繰り返す
ことを特徴とする請求項１に記載の端末装置。
【請求項３】
前記撮影機構選択部が前期撮影機構を選択する処理を繰り返す度に、前記選択された撮影機構によって撮影する画像種別を決定する画像種別決定部と、
前記撮影処理部は、前記選択された撮影機構を用いて、前記決定された画像種別の画像を撮影する
ことを特徴とする請求項１または請求項２に記載の端末装置。
【請求項４】
前記複数の異なる撮影機構は、被写体の撮影により３Ｄ用画像の生成に必要な２つの撮影機構である
ことを特徴とする請求項１から請求項３の何れか一項に記載の端末装置。
【請求項５】
複数の異なる撮影機構を備えた端末装置の処理方法であって、
状態検出部が、３次元実空間における自装置の傾きまたは加速度を検出し、
撮影機構選択部が、自装置の前記傾きまたは前記加速度が閾値を越えた場合に、その傾きまたは加速度に基づいて、前記複数の異なる撮影機構のうちの、いずれかの撮影機構を選択し、
撮影処理部が、前記撮影指示を受けた場合に、前記選択された撮影機構を用いて撮影処理を行う
ことを特徴とする処理方法。
【請求項６】
撮影開始指定受付部が、前記選択された撮影機構による撮影開始指定を受け付け、
前記撮影機構選択部は、前記撮影開始指定を受け付ける前においては、自装置の前記傾きまたは加速度に基づいて、前記複数の異なる撮影機構のうちの、いずれかの撮影機構を選択する処理を繰り返す
ことを特徴とする請求項５に記載の処理方法。
【請求項７】
画像種別決定部が、前記撮影機構選択部が前期撮影機構を選択する処理を繰り返す度に、前記選択された撮影機構によって撮影する画像種別を決定し、
前記撮影処理部は、前記選択された撮影機構を用いて、前記決定された画像種別の画像を撮影する
ことを特徴とする請求項５または請求項６に記載の処理方法。
【請求項８】
複数の異なる撮影機構を備えた端末装置のコンピュータを、
３次元実空間における自装置の傾きまたは加速度を検出する状態検出手段、
自装置の前記傾きまたは前記加速度が閾値を越えた場合に、その傾きまたは加速度に基づいて、前記複数の異なる撮影機構のうちの、いずれかの撮影機構を選択する撮影機構選択手段、
前記撮影指示を受けた場合に、前記選択された撮影機構を用いて撮影処理を行う撮影処理手段、
として機能させることを特徴とするプログラム。
【請求項９】
前記端末装置を、
前記選択された撮影機構による撮影開始指定を受け付ける撮影開始指定受付手段、として機能させ、
前記撮影機構選択手段は、前記撮影開始指定を受け付ける前においては、自装置の前記傾きまたは加速度に基づいて、前記複数の異なる撮影機構のうちの、いずれかの撮影機構を選択する処理を繰り返す手段として前記端末装置を機能させる
ことを特徴とする請求項８に記載のプログラム。
【請求項１０】
前期端末装置を、前記撮影機構選択部が前期撮影機構を選択する処理を繰り返す度に、前記選択された撮影機構によって撮影する画像種別を決定する画像種別決定手段、として機能させ、
前記撮影処理手段は、前記選択された撮影機構を用いて、前記決定された画像種別の画像を撮影する手段として前記端末装置を機能させる
ことを特徴とする請求項８または請求項９に記載のプログラム。
【発明の詳細な説明】
【技術分野】
【０００１】
本発明は、被写体を撮影した３Ｄ（３次元）画像を生成する端末装置及びその処理方法とプログラムに関する。
【背景技術】
【０００２】
近年３Ｄ映画の流行により、３Ｄ動画や・３Ｄ静止画像を撮影できる端末装置（携帯電話端末など）の需要が増えている。これにより３Ｄ撮影を行うために、左目用と右目用の画像を撮影する撮影機構（カメラ）を２つ装備した携帯電話端末が考えられている。ここで、２つの撮影機構を装備した携帯電話端末にて、２Ｄ（２次元）の動画・静止画像の撮影を行う場合、単眼カメラによる撮影を行うことが予想され、３Ｄ動画や静止画像を撮影するために装備された２つのカメラのうち、どちらのカメラを使用するか判定できる機能を用意する必要がある。なお、本願技術に関連する技術であって、装置本体の変位に応じて処理を切り替えるカメラの技術が特許文献１に開示されている。
【先行技術文献】
【特許文献】
【０００３】
【特許文献１】特開２０１０−０４５６８１号公報
【発明の概要】
【発明が解決しようとする課題】
【０００４】
上述したように２つの撮影機構を装備した３Ｄ画像撮影用の端末で２Ｄ画像の撮影を行う場合、左目用、右目用の二つのカメラのうち、どちらか一方のカメラを用いて静止画撮影を行うこととなる。このとき、例えば、２つの撮影機構が異なる機能で動作する場合(左目用撮影機構：セピア画像撮影用、右目用撮影機構：通常画像撮影用)、ユーザがどちらのカメラを使用して撮影を行うかを選択できるユーザインタフェースを用意する必要がある。しかしながら、一般的なユーザ操作方法はメニューからのキー操作が考えられるが、メニューからのキー操作は、直感的ではないため、ユーザにとっては使いにくい機能となってしまう。
【０００５】
そこでこの発明は、上述の課題を解決することのできる端末装置及びその処理方法とプログラムを提供することを目的としている。
【課題を解決するための手段】
【０００６】
上記目的を達成するために、本発明は、複数の異なる撮影機構を備えた端末装置であって、３次元実空間における自装置の傾きまたは加速度を検出する状態検出部と、自装置の前記傾きまたは前記加速度が閾値を越えた場合に、その傾きまたは加速度に基づいて、前記複数の異なる撮影機構のうちの、いずれかの撮影機構を選択する撮影機構選択部と、前記撮影指示を受けた場合に、前記選択された撮影機構を用いて撮影処理を行う撮影処理部と、を備えることを特徴とする端末装置である。
【０００７】
また本発明は、複数の異なる撮影機構を備えた端末装置の処理方法であって、状態検出部が、３次元実空間における自装置の傾きまたは加速度を検出し、撮影機構選択部が、自装置の前記傾きまたは前記加速度が閾値を越えた場合に、その傾きまたは加速度に基づいて、前記複数の異なる撮影機構のうちの、いずれかの撮影機構を選択し、撮影処理部が、前記撮影指示を受けた場合に、前記選択された撮影機構を用いて撮影処理を行うことを特徴とする処理方法である。
【０００８】
また本発明は、複数の異なる撮影機構を備えた端末装置のコンピュータを、３次元実空間における自装置の傾きまたは加速度を検出する状態検出手段、自装置の前記傾きまたは前記加速度が閾値を越えた場合に、その傾きまたは加速度に基づいて、前記複数の異なる撮影機構のうちの、いずれかの撮影機構を選択する撮影機構選択手段、前記撮影指示を受けた場合に、前記選択された撮影機構を用いて撮影処理を行う撮影処理手段、として機能させることを特徴とするプログラムである。
【発明の効果】
【０００９】
本発明によれば、端末装置のユーザは３Ｄ画像生成のために設けられた２つの撮影機構のうち、２Ｄ画像を生成するために必要な撮影機構を、直感的なユーザインタフェースによりストレスなく選択する操作を行うことができる。
【図面の簡単な説明】
【００１０】
【図１】端末装置の構成を示すブロック図である。
【図２】端末装置の状態の変化を示す図である。
【図３】端末装置の処理フローを示す図である。
【発明を実施するための形態】
【００１１】
以下、本発明の一実施形態による端末装置を図面を参照して説明する。
図１は同実施形態による端末装置の構成を示すブロック図である。
この図において、符号１は端末装置である。当該端末装置１は、一例としては、携帯電話やＰＤＡ、スマートフォンなどである。
そして、本実施携帯において、端末装置１は、第１撮影機構１１、第２撮影機構１２、状態検出部１３、メモリ１４、撮影機構選択部１５、撮影開始指定受付部１６、画像種別決定部１７、撮影処理部１８、表示部１９、の各処理部や記憶部を備えている。
【００１２】
ここで、第１撮影機構１１は、撮影対象の撮影によって３Ｄ画像の生成に用いられる端末装置１に設けられた２つのカメラのうちの第１のカメラである。
また、第２撮影機構１２は、端末装置１に設けられた２つのカメラのうちの第２のカメラである。
これらカメラは何れか一方が撮影用として選択された場合には、選択された一方が撮影処理を行い、これにより２Ｄ画像を生成する。
なお、本実施形態おいて撮影機構は２つ設けられるものとするが、２つ以上であってもよい。
【００１３】
また状態検出部１３は、３次元実空間における端末装置１の傾きを検出する処理部である。または、端末装置１の傾きの代わりに加速度を検出するようにしてもよい。
またメモリ１４は各処理部で得られた結果などの情報や生成された画像を記憶する記憶部である。
また撮影機構選択部１５は、端末装置１の傾きまたは加速度が閾値を越えた場合に、その傾きまたは加速度に基づいて、複数の異なる撮影機構のうちの、いずれかの撮影機構を選択する処理部である。
また撮影開始指定受付部１６は、選択された撮影機構による撮影開始指定の入力をユーザから受け付ける処理部である。
また、画像種別決定部１７は、撮影機構選択部１５が第１撮影機構１１または第２撮影機構１２を選択する処理を繰り返す度に、選択された撮影機構によって撮影する画像種別を決定する処理部である。
また撮影処理部１８は、第１撮影機構１１または第２撮影機構を用いて撮影を行う処理部である。
また表示部１９はメモリ１４に記録された画像を液晶画面などへ表示する処理部である。
【００１４】
そして、本実施形態において、端末装置１は、３次元実空間における自装置の傾きまたは加速度を検出し、自装置の傾きまたは加速度が閾値を越えた場合に、その傾きまたは加速度に基づいて、２つの異なる撮影機構のうちの、いずれかの撮影機構を選択し、撮影指示を受けた場合に、選択された撮影機構を用いて撮影処理を行う。
このとき、端末装置１は、撮影開始指定を受け付ける前においては、自装置の傾きまたは加速度に基づいて、複数の異なる撮影機構のうちの、いずれかの撮影機構を選択する処理を繰り返しており、いずれかの選択された撮影機構による撮影開始指定を受け付ける。
また、端末装置１は、撮影機構を選択する処理を繰り返す度に、選択された撮影機構によって撮影する画像種別を決定し、選択された撮影機構を用いて、決定された画像種別の画像を撮影する。
このような処理により、複数の撮影機構を備えた端末装置において、２Ｄ画像による撮影対象の撮影を行う際のユーザの撮影機構の選択の手間を軽減する。
【００１５】
図２は端末装置の状態の変化を示す図である。
図３は端末装置の処理フローを示す図である。
以下、図１〜図３を用いて端末装置の処理の詳細について順を追って説明する。
本実施形態による端末装置１では、ユーザが端末装置１を傾けることにより、状態検出部１３内部に設けられた傾きセンサが傾きを検出し、当該傾きが閾値を超えた場合に、第１撮影機構１１または第２撮影機構１２のいずれかを撮影処理に用いる撮影機構として選択する。
より具体的には、まず、状態検出部１３は傾きを検出すると（ステップＳ１０１）、当該傾きのデータをメモリ１４に記録する。状態検出部１３はメモリ１４の所定の記憶領域に記録されている傾きのデータを、例えば、所定の間隔で、または傾きの変化を検出するたびに現在の傾きのデータへと更新する。
そして、撮影機構選択部１５は、メモリ１４に記録されている傾きデータを読み取る。次に、撮影機構選択部１５は、メモリ１４から読み取った傾きデータに基づいて、第１撮影機構１１または第２撮影機構１２の何れかを選択する（ステップＳ１０２）。
【００１６】
ここで、端末装置１の状態検出部１３は、端末装置１に予め設定された頂点方向に垂直な水平方向が、３次元空間上の水平方向と一致した水平状態を基準として、撮影方向（第１撮影機構１１や第２撮影機構１２のカメラの焦点方向）を回転軸として左右に回転した際の角度を検出するものとする。そして、状態検出部１３はメモリ１４に対して左右のどちらの方向への回転かを示す回転方向情報と、角度と、からなる傾きデータをメモリ１４に記録する。また、左方向への回転と右方向への回転のそれぞれについての閾値を、回転方向情報に対応付けて、予め撮影機構選択部１５が記憶しているものとする。
【００１７】
そして、撮影機構選択部１５は、メモリ１４から読みとった傾きデータから、回転方向情報と角度とを取得し、同じ回転方向情報についての角度と閾値とを比較する。そして、撮影機構選択部１５は、角度が閾値以上である場合には、その回転方向に対応する撮影機構を、撮影時に用いる撮影機構として選択する。例えば、回転方向情報が右方向である場合に第１撮影機構１１、回転情報が左方向である場合に第２撮影機構１２を選択することを撮影機構選択部１５が情報として記憶しておき、端末装置１の角度が閾値以上である場合に、傾きデータで示される回転方向に対応する撮影機構の情報を読み取って、これにより撮影機構を選択する。なお、撮影機構選択部１５は、閾値以上の傾きの変化を検出した状態検出部１３から傾き変化を示す情報を入力し、その都度、メモリ１４から傾きデータを読み取って、撮影に用いる撮影機構を選択する処理を行う。
【００１８】
そして、撮影機構選択部１５が撮影処理に用いる撮影機構を選択した後、撮影開始指定受付部１６が、例えば端末装置１に備えられた撮影開始ボタンのユーザによる押下の操作等に基づいて、撮影開始指定信号を入力し（ステップＳ１０３）、撮影機構選択部１５へ撮影開始指定を出力する。そして、撮影機構選択部１５は撮影開始指定受付部１６から撮影開始指定を入力する。これにより撮影機構選択部１５は、第１撮影機構１１または第２撮影機構の何れかを示す、選択した撮影機構の識別情報を撮影処理部１８へ出力する。このとき、撮影機構選択部１５は、撮影開始指定受付部１６より撮影開始指定を入力した場合には、撮影機構の選択処理を停止し（ステップＳ１０４）、撮影開始指定の入力の直前に選択した撮影機構の識別情報を撮影処理部１８へ出力する。これにより、端末装置１は、一旦、ユーザによって撮影開始指定の操作がされた場合には、撮影機構が変更されないよう制御している。そして、撮影処理部１８は、入力した識別情報に対応する撮影機構（第１の撮影機構１１または第２の撮影機構１２の何れか）を用いて撮影処理を行う（ステップＳ１０５）。
【００１９】
被写体の撮影により２Ｄ画像を生成する際に、第１撮影機構１１が通常撮影、第２撮影機構１２がセピア画像撮影を行うなどと設定されている場合には、第１撮影機構１１が撮影処理に用いられる場合には、第１撮影機構１１は撮影処理に基づいて通常の画像生成を行い、第２撮影機構１２が撮影処理に用いられる場合には第２撮影機構１２は撮影処理に基づいてセピア画像を生成する。そして、撮影処理に用いられた第１撮影機構１１または第２撮影機構は、撮影処理によって生成した画像をメモリ１４に記録する。そして、表示部１３は、メモリ１４に記録された撮影画像を液晶画面などに表示する。
【００２０】
なお、上述の処理によって、撮影機構選択部１５が撮影処理に用いる撮影機構を選択するたびに、その撮影機構が撮影する画像の種別を画像種別決定部１７が選択するようにしてもよい。例えば、画像種別決定部１７は、予め第１撮影機構１１および第２撮影機構が撮影処理の結果、生成できる画像の種別を記憶しているものとする。そして、第１撮影機構１１が通常画像および白黒画像、また第２撮影機構１２がセピア画像、特殊画像（モザイク処理画像）を生成できるものとする。このような場合、画像種別決定部１７は、撮影機構選択部１５から、選択された撮影機構の識別情報を入力し、その識別情報に対応付けられて登録された画像種別を特定し、撮影処理部１８へ出力する。また傾きデータが代わると撮影機構選択部１５から出力される撮影機構の識別情報が変化するが、この場合、次に選択された撮影機構の識別情報に対応付けられて登録された画像種別を特定し、撮影処理部１８へ出力する。そして、第１撮影機構→第２撮影機構→第１撮影機構→第２撮影機構と順次、識別情報を入力するたびに、通常画像→セピア画像→白黒画像→特殊画像、と順に画像種別を特定し、撮影処理部１６へ出力する。そして、撮影処理部１６が画像種別決定部１７から入力した画像種別に応じた画像の生成を撮影機構へ指示し、第１撮影機構１１または第２撮影機構が入力した画像種別に応じた画像生成を行うようにしてもよい。
【００２１】
図３において（１）は、端末装置１が右方向に傾けられた結果、第１撮影機構１１が撮影機構選択部１５によって選択され、かつ画像種別決定部１７によって通常画像を生成すると決定された場合の例を示している。
また図３において（２）は、端末装置１が左方向に傾けられた結果、第２撮影機構１２が撮影機構選択部１５によって選択され、かつ画像種別決定部１７によってセピア画像を生成すると決定された場合の例を示している。
また図３において（３）は、端末装置１が右方向に傾けられた結果、第１撮影機構１１が撮影機構選択部１５によって選択され、かつ画像種別決定部１７によって白黒画像を生成すると決定された場合の例を示している。
また図３において（４）は、端末装置１が左方向に傾けられた結果、第２撮影機構１２が撮影機構選択部１５によって選択され、かつ画像種別決定部１７によって特殊画像を生成すると決定された場合の例を示している。
【００２２】
以上、本発明の実施形態について説明したが、上述の端末装置１の処理によれば、端末装置１のユーザは３Ｄ画像生成のために設けられた２つの撮影機構のうち、２Ｄ画像を生成するために必要な撮影機構を、直感的なユーザインタフェースによりストレスなく選択する操作を行うことができる。また、端末装置１のユーザは３Ｄ画像生成のために設けられた２つの撮影機構のうち、２Ｄ画像を生成するために必要な撮影機構を選択させるための機構として専用ボタンを設ける必要がないため、構成が簡易となる、部品削減によるコストダウンを図ることができるなどの効果を得ることができる。
【００２３】
なお、上述の処理においては、傾きデータに基づいて撮影機構選択部１５が撮影に用いる撮影機構を選択する例について説明したが、状態検出部１３が加速度を検出し、加速度データに基づいて撮影機構選択部１５が撮影に用いる撮影機構を選択するようにしてもよい。具体的には、端末装置１の状態検出部１３は、端末装置１に予め設定された頂点方向に垂直な水平方向が３次元空間上の水平方向と一致した、水平状態を基準として、撮影方向（第１撮影機構１１や第２撮影機構１２のカメラの焦点方向）を軸にして左右に移動した際の加速度を検出するものとする。
【００２４】
そして、状態検出部１３はメモリ１４に対して左右のどちらの方向への加速度かを示す加速度方向情報と、加速度と、からなる加速度データをメモリ１４に記録する。また、左方向への加速度と右方向への加速度のそれぞれについての閾値を、加速度方向情報に対応付けて、予め撮影機構選択部１５が記憶しているものとする。そして、撮影機構選択部１５は、メモリ１４から読みとった加速度データから、加速度方向情報と加速度とを取得し、同じ加速度方向情報についての加速度と閾値とを比較する。そして、撮影機構選択部１５は、加速度が閾値以上である場合には、その加速度方向に対応する撮影機構を、撮影時に用いる撮影機構として選択する。例えば、加速度方向情報が右方向である場合に第１撮影機構１１、加速度情報が左方向である場合に第２撮影機構１２を選択することを撮影機構選択部１５が情報として記憶しておき、端末装置１の加速度が閾値以上である場合に、加速度データで示される加速度方向に対応する撮影機構の情報を読み取って、これにより撮影機構を選択する。
【００２５】
なお、上述の端末装置１は内部に、コンピュータシステムを有している。そして、上述した各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００２６】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００２７】
１・・・端末装置、１１・・・第１撮影機構、１２・・・第２撮影機構、１３・・・状態検出部、１４・・・メモリ、１５・・・撮影機構選択部、１６・・・撮影開始指定受付部、１７・・・画像種別決定部、１８・・・撮影処理部、１９・・・表示部
【図１】
2012120016.tif 000003
【図２】
2012120016.tif 000004
【図３】
2012120016.tif 000005